(57)【要約】【課題】省スペース化が可能で、運搬効率の向上や、コスト低減を叶えることができる仕口プレキャスト部材を提供する。【解決手段】柱２を接続する柱接続部５と、平面視で交わる方向に設置される少なくとも二つの梁３を接続する梁接続部６とを備えさせてある仕口プレキャスト部材であって、一方の梁３の梁主筋９を連結する仕口部梁主筋８を、前記梁接続部６に端部が突出する状態に埋設してあり、他方の梁３の梁主筋９を機械的に連結する機械式継手部材１０を、埋設してある。【選択図】図３
2010203184.tif 000002
【特許請求の範囲】
【請求項１】
柱を接続する柱接続部と、
平面視で交わる方向に設置される少なくとも二つの梁を接続する梁接続部とを備えさせてある仕口プレキャスト部材であって、
一方の梁の梁主筋を連結する仕口部梁主筋を、前記梁接続部に端部が突出する状態に埋設してあり、
他方の梁の梁主筋を機械的に連結する機械式継手部材を、埋設してある仕口プレキャスト部材。
【請求項２】
前記機械式継手部材と連結する梁主筋の端部を配置可能な溝部を、前記機械式継手部材の端部側で前記柱接続部に開口する状態に設けてある請求項１に記載の仕口プレキャスト部材。
【請求項３】
柱を接続する柱接続部と、
平面視で交わる方向に設置される少なくとも二つの梁を接続する梁接続部とを備えさせてある仕口プレキャスト部材であって、
一方の梁の梁主筋を連結する仕口部梁主筋を、前記梁接続部に端部が突出する状態に埋設してあり、
他方の梁の梁主筋を貫通させて連結するシース管を、埋設してある仕口プレキャスト部材。
【請求項４】
請求項１〜３の何れか一項に記載の仕口プレキャスト部材を用いて構築してある柱梁架構。
【発明の詳細な説明】
【技術分野】
【０００１】
本発明は、例えば、柱と梁との仕口部分に設置して相互の連結を効率よく実施できるようにした仕口プレキャスト部材、及び、その仕口プレキャスト部材の性質を専ら利用する柱梁架構に関し、更に詳しくは、柱を接続する柱接続部と、平面視で交わる方向に設置される少なくとも二つの梁を接続する梁接続部とを備えさせてある仕口プレキャスト部材、及び、柱梁架構に関する。
【背景技術】
【０００２】
従来、この種の仕口プレキャスト部材としては、図６に示すように、ブロック状の仕口部材本体４を設け、仕口部材本体４の上下面を、それぞれ柱２に対する柱接続部５として構成し、仕口部材本体４の４つの側面を、それぞれ梁に対する梁接続部６として構成してあるものがあった。
また、前記仕口部材本体４には、接続対象の梁の梁主筋を連結して一連の梁主筋とする為の仕口部梁主筋８を、それぞれ埋設してあり、前記梁接続部６は、４つ共、仕口部材本体４の各側面から仕口部梁主筋８が突出する状態に形成してあるものがあった（例えば、特許文献１参照）。
因みに、鉄筋の継手には、例えば、重ね継手や、ガス圧接継手や、溶接式継手や、機械式継手等のものがあるが、機械式継手に関しては、他の継手に比べて、カプラー（機械式継手部材に相当）や充填材等の別部材を使用することから、コスト高になり易い。
従って、配筋工事の材料コストの低減を主眼においた場合、重ね継手やガス圧接継手や溶接式継手を採用することが多く、この意味で、上述した従来の技術においては、一連の梁主筋の接合用に仕口部梁主筋を埋設しておき、この仕口部梁主筋と梁主筋とを連結する形態を採用している。
【先行技術文献】
【特許文献】
【０００３】
【特許文献１】特開２００６−１４４４２８号公報（図１）
【発明の概要】
【発明が解決しようとする課題】
【０００４】
上述した従来の仕口プレキャスト部材によれば、平面視において仕口部材本体から四方に仕口部梁主筋が突出しており、鉄筋の突出部分は、鉄筋が曲易いから他物を重ねたりすることが困難で、仕口プレキャスト部材単体として嵩高いという問題があった。
従って、生産した仕口プレキャスト部材の保管に当たっては、広い保管場所を確保する必要がある一方、運搬においても、それぞれの仕口プレキャスト部材がトラックの荷台を広く占領するから、大量の仕口プレキャスト部材を一度に積載することが困難となる。
その結果、運搬効率が低く、運搬コストが高くなる問題点がある。
【０００５】
従って、本発明の目的は、上記問題点を解消し、省スペース化が可能で、運搬効率の向上や、運搬コストの低減を叶えることができる仕口プレキャスト部材を提供するところにある。
【課題を解決するための手段】
【０００６】
本発明の第１の特徴構成は、柱を接続する柱接続部と、平面視で交わる方向に設置される少なくとも二つの梁を接続する梁接続部とを備えさせてある仕口プレキャスト部材であって、
一方の梁の梁主筋を連結する仕口部梁主筋を、前記梁接続部に端部が突出する状態に埋設してあり、他方の梁の梁主筋を機械的に連結する機械式継手部材を、埋設してあるところにある。
【０００７】
本発明の第１の特徴構成によれば、一方向については、梁主筋との連結コストが安く抑えやすい仕口部梁主筋を使用しながら、交差する方向の梁主筋との連結に関しては、機械式継手部材を埋設することで、鉄筋を梁接続部の表面に突出させずにすむので、仕口プレキャスト部材そのもののコンパクト化が実現する。
その結果、生産した当該仕口プレキャスト部材の保管に当たっては、従来に比べて省スペース化を図ることができる一方、運搬においても、一台のトラックに大量の仕口プレキャスト部材を一度に積載することが可能となる。
従って、省スペース化が可能で、運搬効率の向上や、運搬コスト低減を叶えられる。
【０００８】
本発明の第２の特徴構成は、前記機械式継手部材と連結する梁主筋の端部を配置可能な溝部を、前記機械式継手部材の端部側で前記柱接続部に開口する状態に設けてあるところにある。
【０００９】
本発明の第２の特徴構成によれば、埋設してある機械式継手部材に対して、接続対象の梁の梁主筋を連結する際に、前記溝部に、梁主筋の端部を位置させた後、機械式継手部材内に挿入する手順をとることができ、特別な位置合わせをしなくても、容易に挿入操作を実施できる。
従って、鉄筋継手を短時間に形成して、柱と梁との連結作業を、より効率よく実施できるようになる。
【００１０】
本発明の第３の特徴構成は、柱を接続する柱接続部と、平面視で交わる方向に設置される少なくとも二つの梁を接続する梁接続部とを備えさせてある仕口プレキャスト部材であって、
一方の梁の梁主筋を連結する仕口部梁主筋を、前記梁接続部に端部が突出する状態に埋設してあり、他方の梁の梁主筋を貫通させて連結するシース管を、埋設してあるところにある。
【００１１】
本発明の第３の特徴構成によれば、一方向については、梁主筋との連結コストが安く抑えやすい仕口部梁主筋を使用しながら、交差する方向の梁主筋との連結に関しては、シース管を埋設することで、鉄筋を梁接続部の表面に突出させずにすむので、仕口プレキャスト部材そのもののコンパクト化が実現する。
その結果、生産した当該仕口プレキャスト部材の保管に当たっては、従来に比べて省スペース化を図ることができる一方、運搬においても、一台のトラックに大量の仕口プレキャスト部材を一度に積載することが可能となる。
従って、省スペース化が可能で、運搬効率の向上や、運搬コスト低減を叶えられる。
【００１２】
本発明の第４の特徴構成は、本発明の第１〜３の何れかの特徴構成を備えた仕口プレキャスト部材を用いて柱梁架構を構築してあるところにある。
【００１３】
本発明の第４の特徴構成によれば、本発明の第１〜３の特徴構成によって叶えられる作用効果の何れかを受け継いだ柱梁架構を実現できる。
【図面の簡単な説明】
【００１４】
【図１】仕口プレキャスト部材の設置状況を示す側面視説明図
【図２】仕口プレキャスト部材を示す斜視図
【図３】仕口プレキャスト部材の設置状況を示す分解斜視図
【図４】仕口プレキャスト部材の設置状況を示す分解斜視図
【図５】第２実施形態の仕口プレキャスト部材を示す斜視図
【図６】従来の仕口プレキャスト部材の設置状況を示す分解斜視図
【発明を実施するための形態】
【００１５】
以下に本発明の実施の形態を図面に基づいて説明する。尚、図面において従来例と同一の符号で表示した部分は、同一又は相当の部分を示している。
【００１６】
〔第１実施形態〕
図１、図２は、本発明の仕口プレキャスト部材の一実施形態品を示すもので、当該実施形態においては、仕口プレキャスト部材１は、プレキャストの柱２と梁３とを使用した架構において、現場打ち梁部分の厚み範囲に相当する柱部分に設置できるように構成されたものを一例として説明する。
従って、ここで説明した仕口プレキャスト部材の使用形態に限るものではなく、例えば、連結対象の柱２や梁３がどのように形成されるか（プレキャスト部分と現場打ち部分との関係）に応じて、それらとの取りあい状況が変化することがあり、それに伴って、梁接続部や柱接続部の形状変更もありうる。
【００１７】
仕口プレキャスト部材１は、平面視形状が正方形のブロック状の仕口部材本体４を設け、仕口部材本体４の上下面を、それぞれ柱２に対する柱接続部５として構成し、仕口部材本体４の４つの側面を、それぞれ梁３に対する梁接続部６として構成してある。
【００１８】
前記仕口部材本体４は、上下に連結する柱２と同等の圧縮強度を有する高強度コンクリートを使用して形成してある。また、平面形状及び平面寸法も、連結対象の柱２と同様に設定されている。
また、仕口部材本体４の高さ寸法は、当該実施形態においては、プレキャストの梁部分３Ａの上に、現場打ちスラブと一緒にコンクリートを打設して現場打ちの梁部分３Ｂを形成する関係上、その現場打ちの梁部分３Ｂの高さ寸法と同じ寸法に形成されている（図１参照）。
【００１９】
前記柱接続部５は、上述のとおり、仕口部材本体４の上面部と、下面部とにそれぞれ設けてある。また、平面視形状の正方形における隅部分には、所定のコンクリート被り寸法を確保した位置に、下方の柱２から突出する柱主筋７を挿通できる貫通孔５ａが縦方向に設けてある（図３参照）。上方の柱２の下端部には、前記貫通孔５ａに対応した箇所に機械式継手部材が埋設してあり（不図示）、当該仕口部材本体４の貫通孔５ａに柱主筋７が挿通する状態で上下に柱２を配置して（図４参照）、上下の柱主筋７どうしを機械式継手部材で連結することで、上下の柱２と仕口プレキャスト部材１とを一体に連結することができる。
【００２０】
前記梁接続部６は、平面視で直行する各梁３に対応させて、図３に示すように、二種類の構造が用意されている。
仕口部材本体４の４つの側面部の内、図中の６Ａ、６Ｃの記号を付した梁接続部は、仕口部材本体４の中に埋設した複数の仕口部梁主筋８の端部が、それぞれ表面から突出する状態に形成してある。この仕口部梁主筋８は、対応する梁３の梁主筋９と連結することで、柱部分を貫通して一連となる梁主筋を構成することができる。
【００２１】
一方、図中の６Ｂ、６Ｄの記号を付した梁接続部は、前記仕口部梁主筋９の上方で交差する状態で仕口部材本体４の中に埋設された複数のカプラー（機械式継手部材に相当）１０に通ずる複数の溝部１１を設けて構成されている。
この溝部１１は、柱接続部６Ｂ，６Ｄに開口すると共に、柱接続部５にも開口しており、対応する梁３の梁主筋９を、前記カプラー１０内に挿入して連結する際に、この溝部１１に仮配置してから挿入することができるように形成されている。
【００２２】
本実施形態による仕口プレキャスト部材１によれば、直線状に位置する一対の梁３に対しては、経済的に梁主筋９を接続できるように、前記仕口部梁主筋８を用いている。そして、それらの梁３に交差する方向に位置する一対の梁３に対しては、梁接続部６Ｂ，６Ｄの表面に鉄筋等の障害物が突出しないカプラー１０を内蔵させてあるから、嵩張り難くでき、例えば、保管したり運搬する際に、隣接させる仕口プレキャスト部材１を、より近接させて配置できるようになる。
その結果、省スペース化が可能で、運搬効率の向上や、運搬コスト低減を叶えることができる。
【００２３】
〔第２実施形態〕
図５は、本発明の仕口プレキャスト部材の二つ目の実施形態品を示すもので、先の第１実施形態で説明したものと重複する部分の説明は割愛し、異なった構成を主に説明する。
【００２４】
当該実施形態の仕口プレキャスト部材１においては、仕口部材本体４に対して、複数の前記仕口部梁主筋８と、それらに上方で交差する状態に埋設された複数のシース管１２とを埋設してある。
このシース管１２は、先のカプラーに替わる部材であり、対応する梁３の梁主筋９を貫通させて固定できるように構成されている。シース管１２の長さ寸法は、仕口部材本体４の梁接続部６Ｂから裏面側の梁接続部６Ｄまでの寸法に設定してある。従って、梁接続部６Ｂ，６Ｄには、シース管１２の端部が開口している。
【００２５】
本実施形態による仕口プレキャスト部材１によれば、直線状に位置する一対の梁３に対しては、経済的に梁主筋９を接続できるように、前記仕口部梁主筋８を用いている。そして、それらの梁３に交差する方向に位置する一対の梁３に対しては、梁接続部６Ｂ，６Ｄの表面に鉄筋等の障害物が突出しないシース管１２を内蔵させてあるから、嵩張り難くでき、例えば、保管したり運搬する際に、隣接させる仕口プレキャスト部材１を、より近接させて配置できるようになる。
その結果、省スペース化が可能で、運搬効率の向上や、運搬コスト低減を叶えることができる。
【００２６】
〔別実施形態〕
以下に他の実施の形態を説明する。
【００２７】
〈１〉  前記仕口プレキャスト部材は、先の実施形態で説明したように、プレキャストの柱２と、現場打設の梁部分３Ｂとの仕口部に用いることに限らず、柱と梁との両方がプレキャストであったり、何れもが現場打ちで形成するものであったり、また、何れか又は両方が、プレキャストと場所打ちとの併用である場合も対象とすることができる。
また、先の実施形態で構成する場合であっても、仕口プレキャスト部材の天地を反転して用いるものであってもよい。
【００２８】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【符号の説明】
【００２９】
１      仕口プレキャスト部材
２      柱
３      梁
５      柱接続部
６      梁接続部
８      仕口部梁主筋
９      梁主筋
１０    カプラー（機械式継手部材に相当）
１１    溝部
１２    シース管
【図１】
2010203184.tif 000003
【図２】
2010203184.tif 000004
【図３】
2010203184.tif 000005
【図４】
2010203184.tif 000006
【図５】
2010203184.tif 000007
【図６】
2010203184.tif 000008